【手続補正書】
【提出日】令和1年9月12日(2019.9.12)
【手続補正１】
【補正対象書類名】明細書
【補正対象項目名】００８２
【補正方法】変更
【補正の内容】
【００８２】
多くの更なる修正及び変形も上記の例示的な実施形態を参照する当業者に示唆され、その例示的な実施形態は、具体例としてしか与えられておらず、添付の特許請求の範囲によってのみ決定される本発明の範囲を限定するようには意図されていない。特に、様々な実施形態からの様々な特徴は、適切であれば相互に置換されて良い。
〔付記１〕
光学的捕捉システムを校正する装置であって、プロセッサを有し、前記プロセッサは：
前記光学的捕捉システムの像空間におけるパラメータを算出するように構成され、前記パラメータは
・  前記光学的捕捉システムのセンサのピクセルの中心と前記光学的捕捉システムの瞳の中心とを通る第１光線、及び
・  前記光学的捕捉システムの瞳と前記光学的捕捉システムの前記センサの前記ピクセルとを通る光線群により占められるボリュームの表面に属する２点を通る第２光線であって、前記第２光線の第１点は前記光学的捕捉システムのセンサ面に属し、前記第２光線の第２点は瞳面に属する、第２光線を規定し、
前記プロセッサは、前記光学的捕捉システムの対物空間における前記第１光線及び前記第２光線のコンジュゲートのパラメータを算出するように構成され、前記第２光線のコンジュゲートは、集団的に、前記光学的捕捉システムの瞳と前記ピクセルのコンジュゲートとを通る光線群により占められるボリュームの表面を、前記第１光線のコンジュゲートの周りの回転により生成し、前記光線群により占められる前記ボリュームはピクセル・ビームと呼ばれる、装置。
〔付記２〕
光線を規定する前記パラメータは、光線が通る点の座標と、３つの座標軸を有する座標系で前記光線を規定する方向ベクトルの一群の方向余弦とを含む、付記１に記載の装置。
〔付記３〕
前記第１光線を規定する前記パラメータは、前記ピクセルの中心の座標（ｘｐ，ｙｐ，ｚｐ）、及び
〔数１８〕
2018531448.tif 000001
という一群の方向余弦であり、前記座標系の原点は前記瞳の中心である、付記２に記載の装置。
〔付記４〕
前記第２光線を規定する前記パラメータは、前記センサ面に位置付けられ且つ前記ピクセルを中心とする半径ａの円に属する前記第１点の座標、及び
〔数１９〕
2018531448.tif 000002
という一群の方向余弦であり、前記座標系の原点は前記瞳の中心である、付記２に記載の装置。
〔付記５〕
前記プロセッサが、前記光学的捕捉システムの対物空間における前記第１光線及び前記第２光線のコンジュゲートのパラメータを算出するように構成されることは、前記像空間において前記第１光線及び前記第２光線を規定する前記パラメータと光学系の設計パラメータとに基づいて、前記対物空間における前記第１光線及び前記第２光線をトレースすることから成る、付記１ないし４のうちの何れか一項に記載の装置。
〔付記６〕
光学的捕捉システムを校正する方法であって：
前記光学的捕捉システムの像空間におけるパラメータを算出するステップであって、前記パラメータは
・  前記光学的捕捉システムのセンサのピクセルの中心と前記光学的捕捉システムの瞳の中心とを通る第１光線、及び
・  前記光学的捕捉システムの瞳と前記光学的捕捉システムの前記センサの前記ピクセルとを通る光線群により占められるボリュームの表面に属する２点を通る第２光線であって、前記第２光線の第１点は前記光学的捕捉システムのセンサ面に属し、前記第２光線の第２点は瞳面に属する、第２光線を規定する、ステップ；
前記光学的捕捉システムの対物空間における前記第１光線及び前記第２光線のコンジュゲートのパラメータを算出するステップであって、前記第２光線のコンジュゲートは、集団的に、前記光学的捕捉システムの瞳と前記ピクセルのコンジュゲートとを通る光線群により占められるボリュームの表面を、前記第１光線のコンジュゲートの周りの回転により生成し、前記光線群により占められる前記ボリュームはピクセル・ビームと呼ばれる、ステップ；
を有する方法。
〔付記７〕
光線を規定する前記パラメータは、光線が通る点の座標と、３つの座標軸を有する座標系で前記光線を規定する方向ベクトルの一群の方向余弦とを含む、付記６に記載の方法。
〔付記８〕
前記第１光線を規定する前記パラメータは、前記ピクセルの中心の座標（ｘｐ，ｙｐ，ｚｐ）、及び
〔数２０〕
2018531448.tif 000003
という一群の方向余弦であり、座標系の原点は前記瞳の中心である、付記６に記載の方法。
〔付記９〕
前記第２光線を規定する前記パラメータは、前記センサ面に位置付けられ且つ前記ピクセルを中心とする半径ａの円に属する前記第１点の座標、及び
〔数２１〕
2018531448.tif 000004
という一群の方向余弦であり、座標系の原点は前記瞳の中心である、付記６に記載の方法。
〔付記１０〕
前記光学的捕捉システムの対物空間における前記第１光線及び前記第２光線のコンジュゲートのパラメータを算出することは、前記像空間において前記第１光線及び前記第２光線を規定する前記パラメータと光学系の設計パラメータとに基づいて、前記対物空間における前記第１光線及び前記第２光線をトレースすることから成る、付記６ないし９のうちの何れか一項に記載の方法。
〔付記１１〕
規則的な格子構造で構成されるマイクロ・レンズのアレイ；
フォトセンサであって、前記マイクロ・レンズのアレイから前記フォトセンサに投影される光を捕捉するように構成され、一群のピクセルを有し、前記一群のピクセルの各々は、前記マイクロ・レンズのアレイの個々のマイクロ・レンズに光学的に関連付けられている、フォトセンサ；及び
ライト・フィールド・イメージング・デバイスを校正するための付記１に記載の装置；
を有するライト・フィールド・イメージング・デバイス。
〔付記１２〕
付記６ないし１０のうちの何れか一項に記載の方法に従って校正された、光学的捕捉装置により捕捉されたライト・フィールド・データから、画像をレンダリングする装置。
〔付記１３〕
光学的捕捉システムの校正データを有するディジタル・ファイルであって、前記校正データは：
前記光学的捕捉システムの対物空間における第１光線のコンジュゲートのパラメータであって、前記第１光線は、前記光学的捕捉システムのセンサのピクセルの中心と前記光学的捕捉システムの瞳の中心とを通る、パラメータ；
前記光学的捕捉システムの対物空間における第２光線のコンジュゲートのパラメータであって、前記第２光線は、前記光学的捕捉システムのセンサ面に属する第２光線の第１点と、瞳面に属する前記第２光線の第２点とを含み；
前記第２光線のコンジュゲートは、集団的に、前記光学的捕捉システムの瞳と前記ピクセルのコンジュゲートとを通る光線群により占められるボリュームの表面を、前記第１光線のコンジュゲートの周りの回転により生成し、前記光線群により占められる前記ボリュームはピクセル・ビームと呼ばれる、ディジタル・ファイル。
〔付記１４〕
付記６ないし１０のうち何れか一項に記載の方法により得られる、付記１３に記載のディジタル・ファイル。
〔付記１５〕
プロセッサにより実行される場合に、光学的捕捉システムを校正するための付記６ないし１０のうちの何れか一項に記載の方法を実現するプログラム・コード命令を有することを特徴とするコンピュータ・プログラム。
〔付記１６〕
光学的捕捉システムを校正するための付記６ないし１０のうち何れか一項に記載の方法をプロセッサに実行させる命令を保存したプロセッサ読み取り可能な媒体。
〔付記１７〕
コンピューティング・デバイスでプログラムが実行される場合に、光学的捕捉システムを校正するための付記６ないし１０のうち何れか一項に記載の方法を実行するプログラム・コードの命令を担う非一時的な記憶媒体。